【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
１またはそれ以上の光学部品をマウントするための光学部品マウント装置において、前記１またはそれ以上の光学部品がマウントされる第１面と、反対の第２面とを有するベースプレートを具え、当該ベースプレートが加熱要素を収容するために前記第２面に設けられた１またはそれ以上の凹部を具え、当該１またはそれ以上の凹部の位置が、前記第１面における１またはそれ以上の熱活性型光学部品マウント領域を規定することを特徴とする装置。
【請求項２】
請求項１に記載の光学部品マウント装置において、前記ベースプレートがさらに、前記第１面上に設けられ前記１またはそれ以上の熱活性型光学部品マウント領域の周りに配置された１またはそれ以上の凹部を具えることを特徴とする装置。
【請求項３】
請求項１または２に記載の光学部品マウント装置において、前記ベースプレートがさらに、前記１またはそれ以上の熱活性型光学部品マウント領域の周りに配置された１またはそれ以上の開口部を具えることを特徴とする装置。
【請求項４】
請求項１乃至３のいずれかに記載の光学部品マウント装置において、前記ベースプレートがさらに、前記第１面から延在し前記熱活性型光学部品マウント領域の外辺部の周りに配置された１またはそれ以上のレッジを具えることを特徴とする装置。
【請求項５】
請求項１乃至４のいずれかに記載の光学部品マウント装置において、前記ベースプレートがさらに、１またはそれ以上の座ぐりされた（countersunk）開口部を具えることを特徴とする装置。
【請求項６】
請求項１乃至５のいずれかに記載の光学部品マウント装置において、さらに、前記第２面に設けられた前記１またはそれ以上の凹部内に配置され、前記１またはそれ以上の熱活性光学部品マウント領域と熱接触する１またはそれ以上の加熱要素を具えることを特徴とする装置。
【請求項７】
請求項１乃至６のいずれかに記載の光学部品マウント装置において、前記光学部品マウント装置はさらに１またはそれ以上のピラーを具え、当該１またはそれ以上のピラーは、前記１またはそれ以上の熱活性型光学部品マウント領域に機械的に連結された第１の端部を有することを特徴とする装置。
【請求項８】
請求項７に記載の光学部品マウント装置において、前記１またはそれ以上のピラーは、前記１又はそれ以上の熱活性型光学部品マウント領域に、半田で機械的に連結されていることを特徴とする装置。
【請求項９】
請求項７または８に記載の光学部品マウント装置において、前記１またはそれ以上のピラーは、光学部品に機械的に連結するのに好適な第２の端部を有することを特徴とする装置。
【請求項１０】
請求項９に記載の光学部品マウント装置において、接着剤が、前記１またはそれ以上のピラーの第２の端部と前記光学部品との間の機械的連結を提供することを特徴とする装置。
【請求項１１】
請求項７乃至１０のいずれかに記載の光学部品マウント装置において、前記１またはそれ以上のピラーの第１の端部は、外形が丸められていることを特徴とする装置。
【請求項１２】
請求項７乃至１０のいずれかに記載の光学部品マウント装置において、前記１またはそれ以上のピラーの第１の端部は半球形状であることを特徴とする装置。
【請求項１３】
請求項１乃至１２のいずれかに記載の光学部品マウント装置において、さらに、１またはそれ以上の光学部品を機械的に取り付けるのに適した１またはそれ以上の角度付きマウントを具えることを特徴とする装置。
【請求項１４】
請求項１３に記載の光学部品マウント装置において、前記１またはそれ以上の角度付きマウントは、ねじ穴を有することを特徴とする装置。
【請求項１５】
請求項１乃至１４のいずれかに記載の光学部品マウント装置において、さらに、遠位端部に角度付きマウント取付部が設けられた、調節可能なアームを具えることを特徴とする装置。
【請求項１６】
請求項１５に記載の光学部品マウント装置において、前記調節可能なアームはさらに、その近位端部に配置された取付アームを具え、当該取付アームは、前記調節可能なアームを基準点に取り付ける手段を提供することを特徴とする装置。
【請求項１７】
請求項１６に記載の光学部品マウント装置において、前記取付アームは、当該取付アームを前記基準点に対して配置する手段を提供するだぼ（dowel）を具えることを特徴とする装置。
【請求項１８】
光学部品のマウント方法であって、
−反対向きの第１および第２の面を有するベースプレートを提供するステップと、
−前記第１面に１またはそれ以上の熱活性型光学部品マウント領域が規定されるように、前記第２面に加熱要素を収容するための１またはそれ以上の凹部を設けるステップと、
−前記第２面の１またはそれ以上の凹部内に、前記１またはそれ以上の熱活性型光学部品マウント領域と熱接触する１またはそれ以上の加熱要素を配置するステップと、
−前記１またはそれ以上の熱活性型光学部品マウント領域内にピラーと光学部品のアセンブリを配置するステップと、
−前記１またはそれ以上の加熱要素を用いて前記ピラーと光学部品のアセンブリとを前記熱活性型光学部品マウント領域に半田付けするステップと、を具えることを特徴とする方法。
【請求項１９】
請求項１８に記載の光学部品のマウント方法がさらに、前記ベースプレートに、前記第１面の前記１またはそれ以上の熱活性型光学部品マウント領域の周りに、１またはそれ以上の凹部を設けるステップを具えることを特徴とする方法。
【請求項２０】
請求項１８または１９に記載の光学部品のマウント方法がさらに、前記ベースプレートに、前記１またはそれ以上の熱活性型光学部品マウント領域の周りに、１またはそれ以上の開口部を設けるステップを具えることを特徴とする方法。
【請求項２１】
請求項１８乃至２０のいずれかに記載の光学部品のマウント方法において、さらに、前記第１面から延在し熱活性型光学部品マウント領域の周りに配置された１またはそれ以上のレッジを設けるステップを具えることを特徴とする方法。
【請求項２２】
請求項１８乃至２１のいずれかに記載の光学部品のマウント方法において、さらに、前記ベースプレートに１またはそれ以上の座ぐりされた開口を設けるステップを含むことを特徴とする方法。
【請求項２３】
請求項１８乃至２２のいずれかに記載の光学部品のマウント方法において、レジスタ（register）とだぼ（dowel）のシステムを用いて、前記ピラーと光学部品のアセンブリを前記１またはそれ以上の熱活性型光学部品マウント領域に配置するステップを含むことを特徴とする方法。
【請求項２４】
請求項２３に記載の光学部品のマウント方法において、前記レジスタとだぼのシステムを用いるステップは、前記光学部品に角度付きマウントを機械的に取り付けるステップを含むことを特徴とする方法。
【請求項２５】
請求項２４に記載の光学部品のマウント方法において、前記レジスタとだぼのシステムを用いるステップは、さらに、調整可能なアームを前記各度付きマウントの遠位端部に機械的に取り付けるステップを含むことを特徴とする方法。
【請求項２６】
請求項２５に記載の光学部品のマウント方法において、前記レジスタとだぼのシステムを用いるステップは、さらに、前記調整可能なアームの近位端部を基準点に機械的に取り付けるステップを含むことを特徴とする方法。
【請求項２７】
請求項２６に記載の光学部品のマウント方法において、前記基準点は、光学システム内に配置された１またはそれ以上の開口を含むことを特徴とする方法。
【請求項２８】
請求項１８乃至２７のいずれかに記載の光学部品のマウント方法において、前記ピラーと光学部品のアセンブリを前記光学部品マウント領域に半田付けする前に、前記ピラーの第１の端部に錫の層を設けるステップを含むことを特徴とする方法。